(57)【要約】      （修正有）【課題】長時間の使用に耐え得る強度とともに柔らかくて手首や足首等に違和感の無いリストバンドを提供する。【解決手段】リストバンドは人体の局部に巻回可能な長さを有する基材２の表面に個人を識別するための所望の印字情報７を印字可能とする印字領域部を有するとともに非接触で情報の読み取り及び書き込みが可能なＩＣチップ６を内装したもので、前記基材は、ポリエチレンあるいはその共重合体から構成され、その下層には、ナイロン６をベース基材としてＩＣインレットを形成したナイロン６層３を有し、更にその下層には、エンボス形状に加工されたエンボス層４が順次積層されてなることを特徴とするリストバンド。【選択図】        図３
2005283992.tif 000002
【特許請求の範囲】
【請求項１】
人体の局部に巻回可能な長さを有する基材の表面に個人を識別するための所望の印字情報を印字可能とする印字領域部を有するリストバンドであって、
前記基材は、ポリエチレンあるいはその共重合体から構成され、
その下層には、ナイロン６層を有し、
更にその下層には、エンボス形状に加工されたエンボス層が順次積層されてなることを特徴とするリストバンド。
【請求項２】
前記ナイロン６層には、非接触で情報の読み取り及び書き込みが可能なＲＦＩＤのインレットを形成してあることを特徴とする請求項１記載のリストバンド。
【請求項３】
前記表面基材に、帯電防止処理を施してあることを特徴とする請求項１または請求項２記載のリストバンド。
【請求項４】
前記エンボス層に、抗菌処理を施してあることを特徴とする請求項1または請求項２記載のリストバンド。
【請求項５】
前記印字領域部に、易接着処理を施してあることを特徴とする請求項1または請求項２記載のリストバンド。
【発明の詳細な説明】
【技術分野】
【０００１】
本発明はリストバンドに係るもので、特に人体の局部に巻き掛けて長時間使用しても耐え得る強度と柔軟性を備えたリストバンドに関するものである。
【背景技術】
【０００２】
従来から、個人を識別するために人体の局部（手首や足首等）に巻回するリストバンドが使用されている。
例えば、医療向けのリストバンドは、患者の取り違い等による医療過誤を未然に防ぐために、病院の入院患者や通院患者等に本人識別用の固有の情報を記録したリストバンドを手首や足首等に巻回して容易で確実に本人確認を行い、適正な処置を施すことができるようにしている。
【０００３】
特に最近は、そのリストバンドに本人識別用の情報であるバーコードや視認できる種々の情報を印字するだけではなく、より多くの情報やシステムでの応用を考慮した非接触で書き込み及び読み取り可能なＲＦＩＤ（Ｒａｄｉｏ  Ｆｒｅｑｕｅｎｃｙ  Ｉｄｅｎｔｉｆｉｃａｔｉｏｎ）のインレットを内装したものが利用されてきている。
このＲＦＩＤリストバンドは、患者が一度つけたら退院するまで手首や足首等に巻回し、意図的に外さない限り外れない設計となっているため、長時間の使用に耐え得る強度を保持できるとともに柔らかくて手首や足首等に違和感が無いことが要求される。
【０００４】
しかし、従来の構成のリストバンド（図示せず）では、長時間の使用に耐え得る強度は有するが、その柔らかさ（人体へのフィット感）の点で違和感を覚えるという不具合があった。
【０００５】
例えば特開２００３−１６４３０７号公報には、その表面基材として合成紙あるいはＰＥＴ、ＰＰ（ポリプロピレン）、ＰＥ（ポリエチレン）を採用可能として印字適正を備え、その下層の基材（中間基材）としてＰＥＴ（ポリエチレンテレフタレート）を採用して強度を備え、更にその下層（裏面基材）に、ＰＥ（ポリエチレン）基材を採用して、抗菌性を有する通気性に優れたエンボス加工を施した３層構造のリストバンドが公開されているが、この構成のリストバンドでは、その中間基材として採用したＰＥＴの特性及びその厚さを２５〜１００μｍとすることによって、長時間の使用に耐え得る強度と柔軟性を確保している。
（特許文献１、参照）
しかし、より人体にフィットするという軽装感や柔軟性から違和感を覚えるという問題がある。
【０００６】
また、従来のＲＦＩＤのインレットを内装したリストバンドでは、インレット部分の厚さが厚くなるとともに所定の硬さを有するため、インレットを内装して手首や足首等へ装着した場合には、違和感を覚えてしまうという問題がある。
（特許文献２、参照）
【０００７】
また、当該リストバンドには、本人確認のための各種情報が印字され、長時間にわたって人体に取り付けられるために、擦れ、水、アルコール等に対して、印字情報が視認可能に、あるいは読み取り装置（図示せず）等により認識可能に安定して定着する印字特性が求められている。
【０００８】
リストバンドに印字を行うには、一般的に熱転写方式のバーコードプリンター等の印字装置が使用されるが、その熱転写リボンのインクが安定的に定着する基材を選定することが必要であるという問題がある。
【０００９】
さらに、人体の肌に触れる面が平滑な構成では、汗をかいたり、水に触れたときには、皮膚との密着性が強く、蒸れやふやけなどの問題がある。
【００１０】
なおまた、長時間人体の肌に接触することから細菌の繁殖が懸念される場合があり、リストバンドとして細菌に対する対策が必要であるという問題がある。
【００１１】
また、リストバンドに内装したＲＦＩＤインレットのＩＣチップは、静電気に弱いため、帯電防止対策が必要であるという問題がある。      
【００１２】
【特許文献１】特開２００３−１６４３０７号公報
【特許文献２】特開２００３−２９６６７５号公報
【発明の開示】
【発明が解決しようとする課題】
【００１３】
本発明は以上のような諸問題に鑑みなされたもので、長時間の使用に耐え得る強度と柔らかくて手首や足首等に違和感の無いリストバンドを提供することを課題とする。
【００１４】
また、本発明は、抗菌作用とともに通気性及び帯電防止性に優れたリストバンドを提供することを課題とする。
【００１５】
また、本発明は、記録情報の安定した定着性が確保されたリストバンドを提供することを課題とする。
【課題を解決するための手段】
【００１６】
すなわち本発明は、柔らかくて強度のある基材であるナイロン６を中間基材として採用し、その上面の表面基材には、比重が小さく軽量とされるポリエチレン及びその共重合体を採用し、人の肌に直接触れる裏面基材には、エンボス加工を施した軽量で柔軟なポリエチレン基材を採用した３層構造として長時間の使用に耐え得る強度とともに柔軟性を持たせることができることに着目したもので、
第一の発明は、人体の局部に巻回可能な長さを有する基材の表面に個人を識別するための所望の印字情報を印字可能とする印字領域部を有するリストバンドであって、
前記基材は、ポリエチレンあるいはその共重合体から構成され、
その下層には、ナイロン６層を有し、
更にその下層には、エンボス形状に加工されたエンボス層が順次積層されてなることを特徴とするリストバンドである。
【００１７】
前記ナイロン６層に、非接触で情報の読み取り及び書き込みが可能なＲＦＩＤのインレットを形成することができる。
【００１８】
前記表面基材に、帯電防止処理を施すことができる。
【００１９】
前記エンボス層に、抗菌処理を施すことができる。
【００２０】
前記印字領域部に、易接着処理を施すことができる。
【発明の効果】
【００２１】
以上のように本発明によれば、柔らかくて強度を有するナイロン６層を中間基材として採用し、その上面の表面基材に、比重が小さく軽量とされるとともに柔軟なポリエチレン及びその共重合体を採用し、そして人の肌に直接触れる裏面基材には、エンボス加工を施した軽量で柔軟なポリエチレン基材を採用した３層構造としたため、手首や足首等に巻回する長時間の使用に耐え得る強度とともにソフトにして軽装なリストバンドを提供できる。
【発明を実施するための最良の形態】
【００２２】
本発明は、基材の表面にコロナ処理あるいは易接着処理を施して熱転写適正を上げるとともに軽量で柔軟なポリエチレンあるいはその共重合体の基材を採用し、その下層の基材には柔らかくて所定の強度を有するナイロン６を採用してナイロン６層を形成し、そのナイロン６層をベース基材としてＲＦＩＤのアンテナのインレットを形成した。そして更にその下層（最下層）には、抗菌剤を含ませたエンボス加工を施すとともに軽量で柔軟なポリエチレン基材を採用することによって皮膚刺激性を改善して、リストバンドに要求される耐久性、柔軟性、通気性、印字安定性を実現した。
【実施例】
【００２３】
つぎに本発明の実施例によるリストバンド１を図１乃至図３に基づき説明する。    
図１は、本発明の実施例によるリストバンド１を説明するための図であって、図２は、本発明の実施例によるリストバンド１の中間基材であるナイロン６をベース基材として形成されたＲＦＩＤのインレット８を説明するための図であって、図３は、同、図１のII―IIの線断面図である。
【００２４】
本発明のリストバンド１は、図３に示すように、基材２と、ナイロン６層３と、エンボス層４と、の３層構造を有する。
【００２５】
基材２は、ポリエチレン（ＰＥ）あるいはその共重合体などの合成樹脂製のフィルムからこれを構成し、柔らかくて強度（耐久性）を有するものである。この基材２の上面（表面）には、個人識別用の所望の印字情報７を印字可能としてあって、個人ないし患者を特定可能とする。
なお基材２に、帯電防止剤の練り込み、あるいは帯電防止処理コートなど任意の帯電防止処理を施してほこりなどによる汚れを防止可能とするとともに、ＲＦＩＤインレット８のＩＣチップ６に悪い影響を及ぼす要因の一つである静電気からの保護が図れる。
【００２６】
次に、図３に示すように、前記ナイロン６層３の所定の位置、例えばリストバンドの仮想線９内の印字領域部１３に対応する位置に、ＲＦＩＤインレット８が形成されるが、それは前記ナイロン６層３にアルミや銅等を塗布し、このアルミや銅にレジスターインキ等の特殊インキによって耐酸性のアンテナ形状のグラビア印刷を描き、前記特殊インキが載っていない露出した金属面を酸で腐食（エッチング）させてアンテナ５を形成し、所定の位置にＩＣチップ６をマウントしてＲＦＩＤインレット８を形成する。
【００２７】
前記ＲＦＩＤインレット８は、前記ナイロン６層３の上面に所定のピッチ毎に形成される。例えば、リストバンド用ラベル１１連続体における前記リストバンド１の印字領域部１３に対応する前記ナイロン６層３の上面の所定位置ごとに形成される。
【００２８】
このように形成された前記ＲＦＩＤインレット８を有する前記ナイロン６層３と前記基材２は、その間に、およそ３００℃の熱によって溶かされた溶融ポリエチ（ポリエチレン）を公知の技術である押し出しラミネーション技術により流し込み、水を内包して冷却するためのクーリングロールと押さえローラーとによって、冷却しながら圧着することにより貼りあわせる。
【００２９】
ナイロン６層３は、その基材の特性として所定の強度を有しているため、とくに応力がかかりやすい長さ調節用係止孔１６やバンド固定用係止孔１７の部分から破れることを防止可能であるとともに柔軟性に富むものであるため、前記リストバンド１に所定の強度と柔軟性を与えることができる。
【００３０】
次に、前記エンボス層４は、前記基材２と前記ＲＦＩＤインレット８が内装された前記ナイロン６層３とが結合された積層体の下部に、抗菌剤を融解した溶融ポリエチをその表面がエンボス形状に形成されたクーリングロールの凹凸部に公知の技術である押出しラミネーション技術により流し込み、前記積層体裏面に前記溶融ポリエチを冷却しながら固着して形成したものである。
【００３１】
このように形成された前記エンボス層４は、表面を所定の粗さで凹凸形状に形成しているため、人体の肌への接触性ないし通気性を改善する。
【００３２】
基材２への帯電防止処理とともに、このエンボス層４にも帯電防止処理コートその他の帯電防止処理を施すことが望ましい。
【００３３】
さらに、エンボス層４に各種の抗菌剤を混合することにより、人体の肌に接触した部分の細菌の繁殖を抑制することができる。
【００３４】
本発明のリストバンド１は、比重が１より小さいポリエチレンあるいはその共重合体を主な材料としているため、リストバンド全体として軽装感がある。
【００３５】
また、前記ＲＦＩＤのインレット８部分のアンテナ５及びＩＣチップ６は、柔軟な基材であるナイロン６層３及びポリエチレン基材のエンボス層４を介して、肌に感触が伝わることから硬さに対する違和感を和らげた構成とされる。
【００３６】
また、図１に示すように、リストバンド用ラベル１１は、その基材２の部分をリストバンド型抜き部１０において打ち抜くことにより、リストバンド１とカス取り部１２とに分離可能としている。したがって、リストバンド１部分をカス取り部１２から分離することにより、リストバンド１を得ることができる。
また、前記リストバンド型抜き部１０は、その一部を全抜きとし、その他の部分は半抜きとして分離を容易としている。
【００３７】
リストバンド１は、ほぼ中央部の太幅の印字領域部１３と、その左右にそれぞれ延伸する細幅の長さ調節部１４およびバンド固定部１５と、を有する。すなわち、リストバンド１は、患者の肌に長時間かつ直接触れることから、長さ調節部１４およびバンド固定部１５は印字領域部１３の部分よりも幅方向に狭くこれを形成し、肌との接触面積を小さくして通気性を向上させている。
また、リストバンド１は、全体の隅部を丸く形成して、肌との接触を滑らかにしている。
なお、長さ調節部１４およびバンド固定部１５には、血液型などに応じて事前に取り決めた色彩をプレ印刷によって施すこともできる。
【００３８】
印字領域部１３には、患者を特定するための個人識別用の印字情報７であるＩＤ番号、性別、名称、生年月日、血液型、担当医の氏名や、バーコード、二次元コードなどの情報をバーコードプリンターなどの印字装置によって印字可能とし、患者の取り違えなどに伴う過誤診療を防止するための諸情報とすることができる。
また、前記ＲＦＩＤインレット８のＩＣチップ６には、前述の患者を特定するための個人識別用の種々の印字情報を予め書き込んでおいて、診察時にそれを読み出して、患者の取り違えなどに伴う過誤診療を防止するために利用することができる。
リストバンド１のＲＦＩＤインレット８に所望の情報を書き込みあるいは読み出しするには、外部に設けられた書き込み及び読み出し装置からの電磁誘導によってアンテナ５に電流が流れ、この電流がＩＣチップ６に供給され、それにより、非接触状態でＩＣチップ６への書き込みあるいはＩＣチップ６に書き込まれた情報を前記書き込み及び読み出し装置にて読み出すことができる。  
長さ調節部１４には複数個の長さ調節用係止孔１６を形成し、バンド固定部１５には複数個のバンド固定用係止孔１７を形成している。
【００３９】
なお基材２の素材としてポリエチレンあるいはその共重合体などを選択した場合には、ポリエチレンが非極性の樹脂で印字のインキの密着性に劣るため、基材２の表面に易接着処理たとえばコロナ放電処理などを施すことにより表面の粗さを増し、熱転写リボンのインキの定着性ないし印字適性を向上させて、印字領域部１３への印字安定性を確保可能である。この易接着処理としては、コロナ放電処理以外にも、たとえば印字のためのインキとの親和性を有する各種の接着剤を塗布する処理などを行うこともできる。
【００４０】
こうした構成のリストバンド用ラベル１１からリストバンド１を分離して、患者の手首や足首等にＲＦＩＤリストバンド１を取り付けるには、患者の取付け部位に巻回して、そのサイズにあった長さ調節用係止孔１６およびバンド固定用係止孔１７をあわせ、留め具（図示せず）を挿通して固定する。
【００４１】
リストバンド１は、エンボス形状（エンボス層４）を形成しているため、リストバンド１を手首や足首等に取り付けたときに肌との間に空間ができるため、通気性がよい。また、リストバンド１は、その表面基材にポリエチレンあるいはその共重合体などを使用し、裏面基材にポリエチレンを使用しているため、皮膚への刺激がないために長時間使用しても蒸れやかぶれになりにくい特性を有する。
【００４２】
而して、本発明は、柔らかくて強度のある基材であるナイロン６をＲＦＩＤのインレット８を形成するベース基材として採用するとともに中間基材として採用し、その上面の表面基材には、比重が小さく軽量とされるポリエチレン及びその共重合体を採用し、人の肌に直接触れる裏面基材には、エンボス加工を施した軽量で柔軟なポリエチレン基材を採用した３層構造として長時間の使用に耐え得る強度とともに柔軟性を持たせることができる
また、本発明の実施例において、ＲＦＩＤインレット８を有する構成に関しての説明をしたが、ＲＦＩＤインレットを有しない構成においても同様に本発明を適用できる。
【図面の簡単な説明】
【００４３】
【図１】本発明の実施例によるリストバンド１を説明するための図である。
【図２】本発明の実施例によるリストバンド１の中間基材であるナイロン６をベース基材として形成されたＲＦＩＤのインレットを説明するための図である。
【図３】同、図１のII―IIの線断面図である。
【符号の説明】
【００４４】
１  リストバンド
２  基材
３  ナイロン６層
４  エンボス層
５  アンテナ
６  ＩＣチップ
７  印字情報
８  ＲＦＩＤインレット
９  リストバンドの仮想線
１０  リストバンド型抜き部
１１  リストバンド用ラベル
１２  カス取り部
１３  印字領域部
１４  長さ調節部
１５  バンド固定部
１６  長さ調節用係止穴
１７  バンド固定用係止穴
【図１】
2005283992.tif 000003
【図２】
2005283992.tif 000004
【図３】
2005283992.tif 000005